(57)【要約】【課題】無茎のポリープ等であっても滑りが生じないようにスネアループで確実に締め付けることができ、しかも製造が容易で耐久性にも優れると同時に、操作が容易で患者に与える苦痛も少ない内視鏡用スネアを提供すること。【解決手段】可撓性シース１の先端内に出入りすることによって膨縮するスネアループ３を、可撓性シース１の先端外で膨らんだ状態のときのループ面が前後方向における中間部分で曲線的に盛り上がった凸状になる形状に形成した。【選択図】      図１
2006095146.tif 000002
【特許請求の範囲】
【請求項１】
可撓性シース内に軸線方向に進退自在に操作ワイヤを挿通配置して、弾性ワイヤにより形成された環状のスネアループを上記操作ワイヤの先端に連結し、上記可撓性シースの基端側から上記操作ワイヤを軸線方向に進退操作することにより上記スネアループが上記可撓性シースの先端内に出入りして、上記スネアループが上記可撓性シース外では自己の弾性によって膨らみ、上記可撓性シース内に引き込まれることによって窄まった状態に弾性変形するようにした内視鏡用スネアにおいて、
上記スネアループを、上記可撓性シースの先端外で膨らんだ状態のときのループ面が前後方向における中間部分で曲線的に盛り上がった凸状になる形状に形成したことを特徴とする内視鏡用スネア。
【発明の詳細な説明】
【技術分野】
【０００１】
この発明は、内視鏡の処置具挿通チャンネルに通されてポリープや粘膜等の切除を行うために用いられる内視鏡用スネアに関する。
【背景技術】
【０００２】
内視鏡用スネアは一般に、可撓性シース内に軸線方向に進退自在に操作ワイヤが挿通配置されて、その操作ワイヤの先端に弾性ワイヤからなるスネアループが連結され、スネアループが、操作ワイヤを軸線方向に進退操作することにより可撓性シースの先端内に出入りして、可撓性シース外では自己の弾性によって膨らみ、可撓性シース内に引き込まれることにより弾性変形して窄まるようになっている。
【０００３】
図８は、そのような内視鏡用スネアが内視鏡５０の処置具挿通チャンネル５１に通されてポリープ１００を緊縛する前の状態を示しており、可撓性シース１の先端から前方に押し出されたスネアループ３によってポリープ１００が囲まれている。
【０００４】
そして、スネアループ３を可撓性シース１内に引き込むことにより、図９に示されるようにポリープ１００をスネアループ３で緊縛し、スネアループ３に高周波電流を通電することによりポリープ１００を切断することができる。このとき、なるべくポリープ１００の根元近くを切断するようにする。
【０００５】
しかし、無茎状のポリープ１００等を切除する場合には、図１０に示されるように、スネアループ３でポリープ１００を締め付ける際にスネアループ３がポリープ１００の表面で滑って浮き上がってしまい、ポリープ１００を根元から離れた不十分な位置でしか切断できない。
【０００６】
そこで従来は、スネアループ３を形成する弾性ワイヤに滑り止め用チップや針を取り付けたり（例えば、特許文献１）、図１１に示されるように、二つの処置具挿通チャンネル５１，５２が設けられた内視鏡５０を用いて、把持鉗子３００でポリープ１００を摘み上げた状態にしてからスネア２００でポリープ１００を切断していた（例えば、特許文献２）。
【特許文献１】特開２０００−２７１１４６
【特許文献２】特開２００２−３３０９２０
【発明の開示】
【発明が解決しようとする課題】
【０００７】
しかし、弾性ワイヤに針状部材や滑り止め用チップ等を設ける場合には、弾性ワイヤ自体を部分的に削いで針等を形成すると弾性ワイヤの強度低下が甚だしく、弾性ワイヤと別部材の滑り止め用チップ等を弾性ワイヤに対して固定すると、その部分だけ柔軟性がなくなってしまうので円滑に作動せず、しかも強固に固定することは困難であり、使用中に加わる外力によって滑り止め用チップが体内で脱落してしまう場合がある。
【０００８】
また、把持鉗子３００でポリープ１００を摘み上げた状態でスネア２００によりポリープ１００を切断するのは、操作が非常に煩雑になって高度のテクニックが必要になるだけでなく、二つの処置具挿通チャンネル５１，５２が組み込まれた内視鏡５０は外径サイズが非常に大きなものになるため、そのような内視鏡５０を挿入される患者の苦痛が著しく大きなものになってしまう。
【０００９】
そこで本発明は、無茎のポリープ等であっても滑りが生じないようにスネアループで確実に締め付けることができ、しかも製造が容易で耐久性にも優れると同時に、操作が容易で患者に与える苦痛も少ない内視鏡用スネアを提供することを目的とする。
【課題を解決するための手段】
【００１０】
上記の目的を達成するため、本発明の内視鏡用スネアは、可撓性シース内に軸線方向に進退自在に操作ワイヤを挿通配置して、弾性ワイヤにより形成された環状のスネアループを操作ワイヤの先端に連結し、可撓性シースの基端側から操作ワイヤを軸線方向に進退操作することによりスネアループが可撓性シースの先端内に出入りして、スネアループが可撓性シース外では自己の弾性によって膨らみ、可撓性シース内に引き込まれることによって窄まった状態に弾性変形するようにした内視鏡用スネアにおいて、スネアループを、可撓性シースの先端外で膨らんだ状態のときのループ面が前後方向における中間部分で曲線的に盛り上がった凸状になる形状に形成したものである。
【発明の効果】
【００１１】
本発明によれば、スネアループを、可撓性シースの先端外で膨らんだ状態のときのループ面が中間部分で曲線的に盛り上がった凸状になる形状に形成したことにより、無茎のポリープ等であっても滑りが生じないようにスネアループで確実に締め付けることができ、しかも製造が容易で耐久性にも優れると同時に、操作が容易で患者に与える苦痛も少ない。
【発明を実施するための最良の形態】
【００１２】
可撓性シース内に軸線方向に進退自在に操作ワイヤを挿通配置して、弾性ワイヤにより形成された環状のスネアループを操作ワイヤの先端に連結し、可撓性シースの基端側から操作ワイヤを軸線方向に進退操作することによりスネアループが可撓性シースの先端内に出入りして、スネアループが可撓性シース外では自己の弾性によって膨らみ、可撓性シース内に引き込まれることによって窄まった状態に弾性変形するようにした内視鏡用スネアにおいて、スネアループを、可撓性シースの先端外で膨らんだ状態のときのループ面が前後方向における中間部分で曲線的に盛り上がった凸状になる形状に形成する。
【実施例】
【００１３】
図面を参照して本発明の実施例を説明する。
図１は内視鏡用スネアの全体構成を示しており、例えば四フッ化エチレン樹脂チューブ等のような電気絶縁性のある可撓性チューブからなる可撓性シース１内に、導電性のある操作ワイヤ２が軸線方向に進退自在に全長にわたって挿通配置されている。
【００１４】
操作ワイヤ２の先端部分には、ステンレスパイプ等のような導電材からなるパイプ状の連結部材４を介して、例えばステンレス鋼撚り線等のような導電性の弾性ワイヤからなるスネアループ３が可撓性シース１の先端から突没自在に連結されている。
【００１５】
可撓性シース１の基端側には、操作ワイヤ２を進退操作するための操作部１０が連結されていて、操作部本体１１の手元側端部には固定指掛け１２が設けられ、操作部本体１１に対してスライド自在に取り付けられた可動指掛け１３に、可撓性シース１から真っ直ぐに操作部１０側に引き出された操作ワイヤ２の基端が連結されている。
【００１６】
したがって、操作部１０において可動指掛け１３を進退操作することにより、可撓性シース１内で操作ワイヤ２が軸線方向に進退し、それによってスネアループ３が可撓性シース１の先端から突没する。
【００１７】
また、可動指掛け１３には、図示されていない高周波電源コードを接続するための接続端子１４が取り付けられており、操作ワイヤ２を介してスネアループ３に高周波電流を通電することができる。
【００１８】
可撓性シース１の基端部分は、操作部１０の操作部本体１１に対して軸線方向には固定されているが、軸線周りには回転自在に取り付けられており、そのような可撓性シース１の基端に保持環５が固着されている。
【００１９】
その結果、保持環５を保持して操作部１０を矢印Ｒで示されるように軸線周りに回転させることにより、固定された状態の可撓性シース１内で操作ワイヤ２が軸線周りに回転し、それによって可撓性シース１の先端においてスネアループ３が軸線周りに回転する。
【００２０】
図２は、内視鏡用スネアの先端部分の平面断面図であり、スネアループ３は、一本の弾性ワイヤをスネアループ３の先端部分３ａになる位置でＵ字状に１８０°曲げ戻して全体として一つの環状をなす形状に形成されている。ただし、二本の弾性ワイヤを先端部分３ａで連結して環状に形成したものであっても差し支えない。
【００２１】
スネアループ３は、可撓性シース１の先端から前方に押し出された状態では、図２に示されるように自然形状である環状に膨らんだ状態になっているが、操作ワイヤ２によって可撓性シース１の先端内に引き込まれると、図３に示されるように窄まった状態に弾性変形し、可撓性シース１内から押し出されると、自己の弾性によって再び図２に示される環状に膨らんだ状態に戻る。
【００２２】
図４は、そのようなスネアループ３が可撓性シース１の先端から押し出されて膨らんだ状態の側面図であり、スネアループ３は、ループ面が中間部分（即ち、前後方向における中間部分）において曲線的に盛り上がった凸状になる形状に形成されている。なお、図４に示される例では、スネアループ３が前後方向のほぼ中央位置で凸になっているが、図５に示されるように中央より前寄りの部分で凸になっていてもよい。
【００２３】
図６は、上記実施例の内視鏡用スネアが内視鏡５０の処置具挿通チャンネル５１に通されてポリープ１００を緊縛する際の動作を示しており、処置具挿通チャンネル５１から突出させた可撓性シース１の先端前方でスネアループ３が環状に膨らんだ状態になっている。
【００２４】
そして、スネアループ３を、破線で図示される状態から実線で図示される状態に矢印Ａで示されるように移動させて、ポリープ１００の根元付近をスネアループ３で囲む状態にするのであるが、スネアループ３の中間部分が曲線的に盛り上がった凸状に形成されているので、スネアループ３を単純にポリープ１００に被せるだけの動作ではポリープ１００の根元付近を囲むことはできず、二点鎖線で変形前のスネアループ３の位置が示されているように、スネアループ３をポリープ１００の根元付近に押し付けて大きく撓ませる必要がある。
【００２５】
そのため、矢印Ｂで示されるように、先端部分３ａが大きく変位する状態にスネアループ３が弾性変形させられ、それによって生じる弾性力によって、矢印Ｆで示されるようにスネアループ３の先端部分３ａ寄りの部分がポリープ１００の根元付近の粘膜面に押し付けられる。
【００２６】
その結果、操作ワイヤ２を牽引操作してスネアループ３を窄ませる際にもスネアループ３がポリープ１００の根元付近を囲んだ状態を保ち、図９に示されるようにポリープ１００の根元付近を緊縛することができ、その状態でスネアループ３に高周波電流を通電してポリープ１００を切除することができる。
【００２７】
このような内視鏡用スネアは、スネアループ３に曲線的に盛り上がった凸状の曲がり癖を付けるだけで構成することができるので、製造が容易で耐久性にも優れると同時に、操作が容易なので患者に与える苦痛も少ないメリットがある。
【００２８】
図７は、上述の動作を理解し易くするための対比例を示しており、スネアループ３が、破線で示される状態から実線で示される状態に全く弾性変形させることなく移動させるだけでポリープ１００の根元付近を囲むことができる形状に形成されている。
【００２９】
すると、スネアループ３がポリープ１００の根元付近を囲んだ状態において、粘膜面を押し付けるように作用するスネアループ３の弾性力Ｆは非常に小さいので、操作ワイヤ２を牽引してスネアループ３を窄ませると、図１０に示されるように、スネアループ３がポリープ１００の表面で滑って、ポリープ１００の根元付近を緊縛することができない。
【００３０】
なお、図１を参照して説明したように、本実施例の内視鏡用スネアにおいては、可撓性シース１に対してスネアループ３を軸線周りに回転操作することができるので、スネアループ３の向きを何時でもポリープ１００に対して最も望ましい向きに調整して、緊縛操作を容易に行うことができる。
【００３１】
なお、本発明は上記実施例に限定されるものではなく、例えば、高周波電流を通電しない機械式の内視鏡用スネアに本発明を採用することもできる。
【図面の簡単な説明】
【００３２】
【図１】本発明の実施例の内視鏡用スネアの全体構成図である。
【図２】本発明の実施例の内視鏡用スネアのスネアループが可撓性シース外で膨らんだ状態の平面断面図である。
【図３】本発明の実施例の内視鏡用スネアのスネアループが可撓性シース内で窄まった状態の平面断面図である。
【図４】本発明の実施例の内視鏡用スネアのスネアループが可撓性シース外で膨らんだ状態の側面図である。
【図５】本発明の実施例の内視鏡用スネアの変形例のスネアループが可撓性シース外で膨らんだ状態の側面図である。
【図６】本発明の実施例の内視鏡用スネアの使用状態の斜視図である。
【図７】本発明の対比例の内視鏡用スネアの使用状態の斜視図である。
【図８】一般的な内視鏡用スネアの使用状態を説明するための斜視図である。
【図９】ポリープが根元付近で緊縛された状態の斜視図である。
【図１０】スネアループが緊縛の際にポリープの根元付近から滑った状態の斜視図である。
【図１１】把持鉗子を併用して内視鏡用スネアによりポリープ切除が行われる状態の一部を断面で示す側面図である。
【符号の説明】
【００３３】
１  可撓性シース
２  操作ワイヤ
３  スネアループ
１００  ポリープ
【図１】
2006095146.tif 000003
【図２】
2006095146.tif 000004
【図３】
2006095146.tif 000005
【図４】
2006095146.tif 000006
【図５】
2006095146.tif 000007
【図６】
2006095146.tif 000008
【図７】
2006095146.tif 000009
【図８】
2006095146.tif 000010
【図９】
2006095146.tif 000011
【図１０】
2006095146.tif 000012
【図１１】
2006095146.tif 000013